(57)【要約】【課題】売却希望者の求めに応じて、ネットワーク上にて公開される商品に関するコンテンツを容易に変更する商品売買仲介システムを提供する。【解決手段】本発明の商品売買仲介システムは、商品に関する情報を格納する商品データベースと、売却希望者を登録する売却希望者データベースとを有しており、商品データベースを参照して、特定の商品に関する情報を示すコンテンツを作成し、ネットワークを通じて公開するサーバ装置と、ネットワークに接続された端末装置とを具えている。サーバ装置は、端末装置から送られた認証用情報を売却希望者データベースと照合して、端末装置の使用者が売却希望者データベースに登録された売却希望者であるか否かを判断する。使用者が売却希望者データベースに登録されている場合、サーバ装置は、使用者の商品に関する情報の一部について変更事項が端末装置から受信すると車両データベースを書き換える。【選択図】図１
2007102656.tif 000002
【特許請求の範囲】
【請求項１】
売買を仲介する商品に関する情報を格納する商品データベースと、売却希望者を登録する売却希望者データベースとを有しており、前記商品データベースを参照して、特定の商品に関する情報を示すコンテンツを作成し、前記ネットワークを通じて公開するサーバ装置と、ネットワークを介して前記サーバ装置と通信可能に接続された端末装置とを具えており、商品の個人間売買をネットワークを利用して仲介する商品売買仲介システムにおいて、
前記サーバ装置は、前記端末装置から送られた認証用情報を前記売却希望者データベースと照合して、前記端末装置の使用者が前記売却希望者データベースに登録された売却希望者であるか否かを判断し、
前記使用者が前記売却希望者データベースに登録された売却希望者である場合、前記サーバ装置は、前記使用者が売却を希望する商品に関する情報の一部について１又は複数の変更事項が前記端末装置から送られると、前記１又は複数の変更事項に基づいて前記商品データベースを書き換えることを特徴とする商品売買仲介システム。
【請求項２】
前記商品データベースに格納される情報には、売買を仲介する商品の販売価格が含まれており、
前記特定の商品に関する情報を示すコンテンツでは、前記特定の商品に関する販売価格が示され、
前記１又は複数の変更事項には、前記使用者が売却を希望する商品の販売価格が含まれる、請求項１に記載の商品売買仲介システム。
【請求項３】
前記特定の商品に関する情報を示すコンテンツでは、前記特定の商品に関する販売価格を用いて算出される１又は複数の金額がさらに示される、請求項２に記載の商品売買仲介システム。
【請求項４】
前記商品データベースは、売買を仲介する車両に関する情報を格納する車両データベースであって、車両の個人間売買を仲介する、請求項１に記載の商品売買仲介システム。
【請求項５】
商品の個人間売買をネットワークを利用して仲介する商品売買仲介方法において、
売買を仲介する商品に関する情報を格納する商品データベースと、売却希望者を登録する売却希望者データベースとを有するサーバ装置にて、前記商品データベースを参照して、特定の商品に関する情報を示すコンテンツを作成し、前記ネットワークを通じて公開するステップと、
前記サーバ装置にて、前記ネットワークを介して前記サーバ装置と通信可能に接続された端末装置から送られた認証用情報を、前記売却希望者データベースと照合して、前記端末装置の使用者が前記売却希望者データベースに登録された売却希望者であるか否かを判断するステップと、
前記使用者が前記売却希望者データベースに登録された売却希望者である場合、前記端末装置にて、前記使用者が売却を希望する商品に関する情報の一部について１又は複数の変更事項を前記サーバ装置に送信するステップと、
前記サーバ装置にて、前記１又は複数の変更事項が前記端末装置から送られると、前記１又は複数の変更事項に基づいて前記商品データベースを書き換えるステップとを含むことを特徴とする商品売買仲介方法。
【請求項６】
前記商品データベースに格納される情報には、売買を仲介する商品の販売価格が含まれており、
前記特定の商品に関する情報を示すコンテンツでは、前記特定の商品に関する販売価格が示され、
前記１又は複数の変更事項には、前記使用者が売却を希望する商品の販売価格が含まれる、請求項５に記載の商品売買仲介方法。
【請求項７】
前記特定の商品に関する情報を示すコンテンツでは、前記特定の商品に関する販売価格を用いて算出される１又は複数の金額がさらに示される、請求項６に記載の商品売買仲介方法。
【請求項８】
前記商品データベースは、売買を仲介する車両に関する情報を格納する車両データベースであって、車両の個人間売買を仲介する、請求項５に記載の商品売買仲介方法。
【請求項９】
売買を仲介する商品に関する情報を格納する商品データベースと、売却希望者を登録する売却希望者データベースとを有しており、前記商品データベースを参照して、特定の商品に関する情報を示すコンテンツを作成し、ネットワークを通じて公開し、商品の個人間売買を前記ネットワークを利用して仲介するために使用されるサーバ装置において、
前記ネットワークを介して前記サーバ装置と通信可能に接続された端末装置から送られた認証用情報を前記売却希望者データベースと照合して、前記端末装置の使用者が前記売却希望者データベースに登録された売却希望者であるか否かを判断し、
前記使用者が前記売却希望者データベースに登録された売却希望者である場合、前記使用者が売却を希望する商品に関する情報の一部について１又は複数の変更事項が前記端末装置から送られると、前記１又は複数の変更事項に基づいて前記商品データベースを書き換えることを特徴とするサーバ装置。
【請求項１０】
売買を仲介する商品に関する情報を格納する商品データベースと、売却希望者を登録する売却希望者データベースとを有しており、前記商品データベースを参照して、特定の商品に関する情報を示す１又は複数のＷｅｂページを作成し、ネットワークを通じて前記１又は複数のＷｅｂページを公開するＷＷＷサーバ装置と、前記ネットワークを介して前記ＷＷＷサーバ装置と通信可能に接続されており、ＷＷＷブラウザを搭載した端末装置とを具えており、商品の個人間売買を前記ネットワークを利用して仲介する商品売買仲介システムにおいて、
前記サーバ装置は、前記端末装置から送られた認証用情報を前記売却希望者データベースと照合して、前記端末装置の使用者が前記売却希望者データベースに登録された売却希望者であるか否かを判断し、
前記使用者が前記売却希望者データベースに登録された売却希望者である場合、前記サーバ装置は、前記商品データベースを参照して、前記使用者が売却を希望する商品に関する情報の全て又は一部が示されると共に、その情報の一部について１又は複数の変更事項を入力する１又は複数のフォームが設けられた１又は複数の変更用Ｗｅｂページを作成し、それら変更用Ｗｅｂページを前記端末装置に送信し、
前記サーバ装置は、前記端末装置から送信された前記１又は複数の変更事項に関するデータを受信すると、そのデータに基づいて前記商品データベースを書き換えることを特徴とする商品売買仲介システム。
【発明の詳細な説明】
【技術分野】
【０００１】
本発明は、ネットワークを利用して商品の個人間売買を仲介するシステム及び方法に関する。
【背景技術】
【０００２】
インターネットの普及に伴って、ＷＷＷ(World Wide Web)サーバを利用した商品の販売が広く行われている。ＷＷＷサーバは、商品に関するコンテンツをＷｅｂページとして顧客が使用する端末装置に送信し、該端末装置では、ＷＷＷブラウザによってコンテンツが表示される。そして、顧客が商品の購入を決定すると、端末装置からＷＷＷサーバにその旨を示すデータが送信されて、ＷＷＷサーバを運営する事業者から顧客に商品が届けられる。近年、中古車の販売もインターネットを利用して活発に行われており(特許文献１参照)、販売業者の販売コストの低減に加えて、販売業者まで赴くことなく顧客が中古車を購入することが可能となっている。
【０００３】
車両の販売価格は、買取業者、転売業者及び販売業者のマージンや保管コスト等を買取り価格に上乗せすることで決定される。また、販売業者が車両を購入した場合、それを保管するコストが発生する。近年、これらの事情を考慮して、インターネットを利用した中古車売買仲介システムを用いて、車両の個人間売買を仲介する事業が行われている。中古車売買仲介システムは、仲介業者によって運営されるＷＷＷサーバを含んでおり、該ＷＷＷサーバは、売却希望者の所有する車両に関するコンテンツを提供し、購入希望者の申込みを受け付ける(特許文献２及び３参照)。これによって、車両の売却価格を高くすると共に、車両の購入価格を下げることが可能となって、車両の売却者及び購入者の双方に好ましい事態が生じる。
【０００４】
【特許文献１】特開２００１−１５５０９５号公報
【特許文献２】特開２００２−１１７２６９号公報
【特許文献３】特開２００３−６７５９２号公報
【発明の開示】
【発明が解決しようとする課題】
【０００５】
購入者が決定されてから仲介業者(又は整備業者)に手渡すまで、売却希望者は、通常、自己の車両を使用し続ける。故に、例えば、仲介業者に手渡すまでに車両を長距離ドライブに用いた場合には、車両の走行距離は大きく変化し、車検を更新した場合には、車検の満了日時が変化する。車両に装備が追加される場合も起こり得るであろう。また、ＷＷＷサーバにて車両に関するコンテンツが公開されても、売却希望者が提示した売却価格(販売価格)が市場価格よりも著しく高い場合には、購入希望者による購入の申込みが全く行われない事態が起こり得るであろう。
【０００６】
しかしながら、従来の中古車売買仲介システムでは、ＷＷＷサーバにて提供される車両に関するコンテンツは、一旦確定するとそのままにされており、上記のような事態が生じても、売却希望者の意思に応じて、車両に関するコンテンツを容易に変更することは不可能である。勿論、売却希望者がＷＷＷサーバの管理者に連絡を取って、売却希望者の車両に関するコンテンツの内容を、管理者が変更することは可能である。しかし、仲介業者の営業時間中に電話を介して管理者に連絡をすることが困難である多忙な売却希望者や、ファクシミリや電子メールを管理者に送るために文章を作成することを煩わしいと感じる売却希望者は多数存在する。このような売却希望者は、結局、管理者に連絡をすることはなく、そのような売却希望者が所有する車両に関するコンテンツが変更されないことになる。
【０００７】
また、売却希望者が自己の車両を迅速に売却しなければならないにも拘わらず、購入の申込みがない場合には、車両に関するコンテンツの提供開始から数日後に、売却希望者が提示する売却価格を下げる必要も起こり得るであろう。逆に、購入の申込みが殺到した場合には、(売買規約やシステム等で認められているならば)現在提示されている価格よりも高くなるように売却価格を直ちに変更することを希望する事態が起こり得るであろう。
【０００８】
本発明は、上記の問題を解決するものであって、売却希望者の所有する商品に関しており、ネットワーク上にて公開されるコンテンツを、売却希望者の求めに応じて容易に変更することを可能とする商品売買仲介システム及び商品売買仲介方法を提供する。
【課題を解決するための手段】
【０００９】
本発明の商品売買仲介システムは、売買を仲介する商品に関する情報を格納する商品データベースと、売却希望者を登録する売却希望者データベースとを有しており、前記商品データベースを参照して、特定の商品に関する情報を示すコンテンツを作成し、前記ネットワークを通じて公開するサーバ装置と、ネットワークを介して前記サーバ装置と通信可能に接続された端末装置とを具えており、商品の個人間売買をネットワークを利用して仲介する商品売買仲介システムにおいて、前記サーバ装置は、前記端末装置から送られた認証用情報を前記売却希望者データベースと照合して、前記端末装置の使用者が前記売却希望者データベースに登録された売却希望者であるか否かを判断し、前記使用者が前記売却希望者データベースに登録された売却希望者である場合、前記サーバ装置は、前記使用者が売却を希望する商品に関する情報の一部について１又は複数の変更事項が前記端末装置から送られると、前記１又は複数の変更事項に基づいて前記商品データベースを書き換えることを特徴とする。
【００１０】
本発明の商品売買仲介方法は、商品の個人間売買をネットワークを利用して仲介する商品売買仲介方法において、売買を仲介する商品に関する情報を格納する商品データベースと、売却希望者を登録する売却希望者データベースとを有するサーバ装置にて、前記商品データベースを参照して、特定の商品に関する情報を示すコンテンツを作成し、前記ネットワークを通じて公開するステップと、前記サーバ装置にて、前記ネットワークを介して前記サーバ装置と通信可能に接続された端末装置から送られた認証用情報を、前記売却希望者データベースと照合して、前記端末装置の使用者が前記売却希望者データベースに登録された売却希望者であるか否かを判断するステップと、前記使用者が前記売却希望者データベースに登録された売却希望者である場合、前記端末装置にて、前記使用者が売却を希望する商品に関する情報の一部について１又は複数の変更事項を前記サーバ装置に送信するステップと、前記サーバ装置にて、前記１又は複数の変更事項が前記端末装置から送られると、前記１又は複数の変更事項に基づいて前記商品データベースを書き換えるステップとを含むことを特徴とする。
【００１１】
本発明のサーバ装置は、売買を仲介する商品に関する情報を格納する商品データベースと、売却希望者を登録する売却希望者データベースとを有しており、前記商品データベースを参照して、特定の商品に関する情報を示すコンテンツを作成し、ネットワークを通じて公開し、商品の個人間売買を前記ネットワークを利用して仲介するために使用されるサーバ装置において、前記ネットワークを介して前記サーバ装置と通信可能に接続された端末装置から送られた認証用情報を前記売却希望者データベースと照合して、前記端末装置の使用者が前記売却希望者データベースに登録された売却希望者であるか否かを判断し、前記使用者が前記売却希望者データベースに登録された売却希望者である場合、前記使用者が売却を希望する商品に関する情報の一部について１又は複数の変更事項が前記端末装置から送られると、前記１又は複数の変更事項に基づいて前記商品データベースを書き換えることを特徴とする。
【００１２】
本発明の中古車売買仲介システムは、売買を仲介する商品に関する情報を格納する商品データベースと、売却希望者を登録する売却希望者データベースとを有しており、前記商品データベースを参照して、特定の商品に関する情報を示す１又は複数のＷｅｂページを作成し、ネットワークを通じて前記１又は複数のＷｅｂページを公開するＷＷＷサーバ装置と、前記ネットワークを介して前記ＷＷＷサーバ装置と通信可能に接続されており、ＷＷＷブラウザを搭載した端末装置とを具えており、商品の個人間売買を前記ネットワークを利用して仲介する商品売買仲介システムにおいて、前記サーバ装置は、前記端末装置から送られた認証用情報を前記売却希望者データベースと照合して、前記端末装置の使用者が前記売却希望者データベースに登録された売却希望者であるか否かを判断し、前記使用者が前記売却希望者データベースに登録された売却希望者である場合、前記サーバ装置は、前記商品データベースを参照して、前記使用者が売却を希望する商品に関する情報の全て又は一部が示されると共に、その情報の一部について１又は複数の変更事項を入力する１又は複数のフォームが設けられた１又は複数の変更用Ｗｅｂページを作成し、それら変更用Ｗｅｂページを前記端末装置に送信し、前記サーバ装置は、前記端末装置から送信された前記１又は複数の変更事項に関するデータを受信すると、そのデータに基づいて前記商品データベースを書き換えることを特徴とする。
【発明の効果】
【００１３】
売却希望者が所有する売却希望の商品について、装備や仕様等の追加又は削除、状態の(大幅な)変化が生じた場合に、または、購入の申込みの状況、若しくは装備の追加等に応じて商品の販売価格を変更したい場合に、売却希望者は、端末装置を用いてサーバ装置に変更事項を送信する。そして、受信した変更事項に基づいてサーバ装置が商品データベースを書き換えることで、その後、変更事項が反映されたコンテンツが、売却希望者の商品について作成及び公開される。このように、本発明によれば、売却希望者の求めに応じて、売却希望者の所有する商品に関するコンテンツを容易に変更してネットワーク上にて公開することが可能となる。また、本発明では、商品に関する情報の一部についてのみ変更が認められるので、商品の製造メーカーや商品名等の変更されることが(ほとんど)あり得ない基本事項について、売却希望者の求めに応じて商品データベースが書き換えられる事態は防止される。
【００１４】
売買の成立を左右する最も重要な因子の１つは、商品の販売価格である。故に、本発明では、商品データベースに格納される情報には、売買を仲介する商品の販売価格が含まれており、特定の商品に関する情報を示すコンテンツでは、特定の商品に関する販売価格が示され、１又は複数の変更事項には、使用者が売却を希望する商品の販売価格が含まれるのが好ましい。さらに、本発明では、特定の商品に関する情報を示すコンテンツにて、特定の商品に関する販売価格を用いて算出される１又は複数の金額がさらに示されることが好ましい。これによって、商品の販売価格に諸費用を加えた金額がコンテンツで示されると共に、コンテンツで示されるこれらの金額が、販売価格の変更に応じて変更される。
【発明を実施するための最良の形態】
【００１５】
以下、本発明を図を用いて説明する。図１は、本発明の一実施例である中古車売買仲介システムの概要を示す説明図である。中古車売買仲介システムは、インターネット及び公共通信網等で構成されたネットワーク(1)と、中古車売買仲介事業を行う事業者(以下、「事業者」と称する)により運営されるサーバ装置(3)と、車両の売却を希望する売却希望者が使用する第１端末装置(5)と、車両の購入を検討する購入検討者が使用する第２端末装置(7)と、整備業者が使用する第３端末装置(9)とを含んでいる。サーバ装置(3)及び第１乃至３端末装置(5)(7)(9)は、ネットワーク(1)を介して相互に通信可能に接続されている。
【００１６】
中古車売買仲介システムの概要は次の通りである。事業者は、売却希望者が売却を希望する車両に関する各種情報を含むコンテンツを、サーバ装置(3)を用いてネットワーク(1)上で提供する。サーバ装置(3)は、ＷＷＷサーバとして機能し、提供するコンテンツを、ＨＴＭＬ(Hyper Text Markup Language)ファイルとして記録又は作成する。コンテンツは、ＨＴＴＰプロトコル等に基づいて、サーバ装置(3)から第２端末装置(7)に送られて、第２端末装置(7)に搭載されたＷＷＷブラウザを用いて表示される。第２端末装置(7)に表示されたコンテンツに係る車両の購入を希望する場合、購入検討者は、購入の申込みをサーバ装置(3)に送信する。サーバ装置(3)は申込みを受信すると、新規の申込みの受付を停止しサーバ装置(3)又は事業者が、申込みを行った者に購入意思の確認を行うことで売買が成立する(サーバ装置は、先着順に優先順位を付けて複数の受付を受け入れてもよい)。サーバ装置(3)は、申込み状況に関するコンテンツを売却希望者に対して提供しており、売却希望者は、第１端末装置(5)に搭載されたＷＷＷブラウザを用いて申込み状況を確認する。また、サーバ装置(3)は、購入者が決定された場合や所定の期間を過ぎても申込みがない場合などに、その旨を述べる電子メールを第１端末装置(5)に送信する。
【００１７】
整備会社は事業者と事業提携をしており、事業者から連絡を受けると、売却希望者の元に赴いて車両を確認する。そして、売却希望者の車両に関するコンテンツを作成するために必要な各種情報を、第３端末装置(9)を用いてサーバ装置(3)に送信する。また、購入者が決定された後に、売却希望者から車両を受領し、必要な整備を施して購入者への納車を行う。
【００１８】
図２は、サーバ装置(3)の構成を示すブロック図である。ＣＰＵ(31)は、後述するプログラムを含む各種プログラムを実行し、ＲＡＭ(32)は、ＣＰＵ(31)のワークエリアとして使用される、通信部(33)は、例えばネットワークカードであって、サーバ装置(3)をＬＡＮ(Local Area Network)や公共通信網等に繋げる。操作部(34)は、キーボードやマウス等の入力装置で構成される。表示部(35)は、例えば液晶表示装置であって、サーバ装置(3)の状態や記録部(36)に記録された情報等が表示される。
【００１９】
記録部(36)は、例えばハードディスクドライブ装置(ＨＤＤ)であって、ＣＰＵ(31)にて実行される各種プログラムと、売却希望者や売買仲介する車両等に関する各種データベース等とを記録している。オペレーションシステム(ＯＳ)(37)は、操作部(34)からの入力や表示部(35)への画面出力の管理や、記録部(36)やＲＡＭ(32)の管理等を実行するプログラムである。サーバプログラム(38)は、サーバ装置(3)をＷＷＷサーバとして機能させるプログラムであって、第１乃至３端末装置(5)(7)(9)から送られた要求に応じてＨＴＭＬファイルやセッション管理用のＣｏｏｋｉｅ等を送信する。売買仲介プログラム(39)は、ネットワークを利用した中古車売買仲介における各種処理を記述したＣＧＩ(Common Gateway Interface)プログラムであって、例えば、後述するように、記録部(36)に記録されたデータベース等を参照してＨＴＭＬファイルを動的に作成する。なお、記録部(36)には、静的なＨＴＭＬファイル(40)や、静的又は動的なＨＴＭＬファイルとリンクされる画像ファイル(41)等も記録されている。
【００２０】
事業者は、売却希望者との間で車両の売買の仲介に関する契約を結ぶと、その売却希望者をサーバ装置(3)の売却希望者データベース(42)に登録する。売却希望者データベース(42)には、事業者と仲介契約を結んだ売却希望者の各々について、氏名、住所、電話番号、電子メールアドレス等の情報が格納される。さらに、売却希望者データベース(42)には、売却希望者の各々について発行された認証用情報も、より詳細にはユーザＩＤ及びパスワードも格納される。ユーザＩＤ及びパスワードは、サーバ装置(3)が提供するＷｅｂサイトにおける売却希望者専用ページを第１端末装置(5)に送信する際などに、売却希望者の認証に使用される。整備業者データベース(43)には、事業者と事業提携した整備業者の各々について、氏名、住所、電話番号、電子メールアドレス等の情報が格納される。さらに、整備業者データベース(43)には、整備業者の各々について発行されたユーザＩＤ及びパスワードが格納される。ユーザＩＤ及びパスワードは、サーバ装置(3)が公開するＷｅｂサイトにおける整備業者専用ページを送信する際などに、整備業者の認証に使用される。申込者データベース(44)には、車両の購入を申し込んだ購入希望者について、氏名、住所、電話番号、電子メールアドレス、申し込んだ車両等の情報が格納される。車両データベース(45)には、事業者が現在仲介を行っている車両に関する情報と、過去に仲介を行った車両に関する情報とが格納される。車両データベース(45)の詳細については後述する。
【００２１】
これらデータベース(42)(43)(44)(45)は、サーバ装置(3)の管理者が操作部(34)を用いて入力したデータ、又は、第１乃至３端末装置(5)(7)(9)から送られたデータに基づいて適宜更新されて、サーバ装置(3)で提供されるコンテンツの作成において参照されると共に、中古車売買仲介事業の管理に利用される。なお、本発明においてサーバ装置(3)の構成は特に限定されることはなく、例えば、Ｗｅｂサーバ装置と、該Ｗｅｂサーバ装置とＬＡＮで接続されて、データベース(42)(43)(44)(45)を管理するデータベースサーバ装置とで、サーバ装置(3)が構成されてもよい。
【００２２】
第１端末装置(5)には、例えば、一般的なパーソナルコンピュータが使用される。図３は、第１端末装置(5)の構成を示すブロック図である。ＣＰＵ(51)、ＲＡＭ(52)、通信部(53)、操作部(54),表示部(55)及び記録部(56)については、サーバ装置(3)に関して説明したものと基本的に同様であるので、詳細な説明は省略する。なお、記録部(56)には、オペレーションシステム(57)に加えて、ネットワークからＨＴＭＬファイルや画像ファイルを受信して表示し、フォームを使用してＷＷＷサーバにデータを送信する処理を行うＷＷＷブラウザ(58)と、電子メールの作成及び送受信と、受信した電子メールの保存及び管理を行うメーラー(59)とが格納されている。第２及び第３端末装置(7)(9)も、第１端末装置(5)と同様に構成されている。また、第１乃至３端末装置(5)(7)(9)として、図１に示すようにＷＷＷブラウザを搭載した携帯電話(11)やＰＤＡ(Personal Digital Assistance)等が使用されてもよい。なお、図１には、説明の簡単化のために、第１乃至３端末装置(5)(7)(9)が１台ずつ示されているが、中古車売買仲介システムを構成する第１乃至３端末装置(5)(7)(9)は、個々の売却希望者、購入検討者及び整備業者に応じて多数存在することは当然である(さらに、一台の端末装置が第１及び第３端末装置(5)(9)として機能し、又は、複数人によって共用されてよいことも当然である)。
【００２３】
以下、本実施例の中古車売買仲介システムにおいて、サーバ装置(3)と第１乃至３端末装置(5)(7)(9)の間で行われる処理について、より詳細に説明する。まず、整備業者が使用する第３端末装置(9)とサーバ装置(3)の間で行われる処理について説明する。先述したように、整備業者は、事業者から連絡を受けると、売却希望者の元に赴いて、車両の種別、装備、程度及び修理箇所等について確認し、車両を撮影して公開される車両の画像ファイルを作成する。また、整備業者は、購入検討者に(最初に)提示する車両の売却価格(販売価格)について、専門家として売却希望者に助言を行い、さらに、購入検討者に推奨するオプション整備事項の見積りなどを行う。そして、整備業者は、車両の種別や売却価格などのサーバ装置(3)にて公開される車両に関する情報を、画像ファイルと共に第３端末装置(9)を用いてサーバ装置(3)に送る。
【００２４】
図４は、整備業者が使用する第３端末装置(9)とサーバ装置(3)の間で行われる処理を示すシーケンス図である。まず、第３端末装置(9)にてＷＷＷブラウザが実行されて、ＨＴＴＰプロトコルに基づいて、サーバ装置(3)に向けて整備業者用ログインページのＨＴＭＬファイルの取得要求が送信される(Ｓ１)。サーバ装置(3)ではサーバプログラム(38)が実行されており、サーバ装置(3)は、受信した取得要求にて示された整備業者用ログインページのＵＲＬ(Uniform Resource Locator)に基づいて、ログインページのＨＴＭＬファイルが記録されているディレクトリを特定し、該ＨＴＭＬファイルを第３端末装置(9)に送信する(Ｓ３)。また、この際に、サーバ装置(3)にてセッションＩＤが発行されて、それが記載されたセッション管理用のＣｏｏｋｉｅがサーバ装置(3)から第３端末装置(9)に送られる。
【００２５】
整備業者用ログインページには、整備業者のユーザＩＤを入力するテキストボックスと、整備業者のパスワードを入力するテキストボックスと、入力したデータを送信する送信ボタンとが設けられている。第３端末装置(9)の操作部を用いて、整備業者が自己のユーザＩＤ及びパスワードを入力し、送信ボタンをクリックすると、これらユーザＩＤ及びパスワードがサーバ装置(3)に向けて送信される(Ｓ５)。また、この際に、セッション管理用のＣｏｏｋｉｅも第３端末装置(9)からサーバ装置(3)に送られる。
【００２６】
サーバ装置(3)では売買仲介プログラムが実行されており、認証用情報、つまりユーザＩＤ及びパスワードを受信すると、整備業者データベース(43)が参照されて、整備業者の認証処理が行われる(Ｓ７)。ステップＳ７にて、受信したユーザＩＤ及びパスワードの組を有する整備業者が、整備業者データベース(43)に登録されていない場合、ステップＳ３が実行されて、ログインページのＨＴＭＬファイルが第３端末装置(9)に再度送信される。受信したユーザＩＤ及びパスワードの組を有する整備業者が整備業者データベース(43)に登録されている場合、作業選択用ページのＨＴＭＬファイルが第３端末装置(9)に送信される(Ｓ９)。なお、認証がなされると、発行されたセッションＩＤと、ユーザＩＤとを対応づけてセッション管理がなされて、以下で説明するＨＴＭＬファイル(例えば、車両情報訂正入力ページのＨＴＭＬファイル)の作成や第３端末装置(9)から送られるデータの処理等に反映される。
【００２７】
作業選択用ページは、新たに売買の仲介を行う車両に関する情報を入力する新規車両情報入力ページと、現在売買の仲介が行われている車両に関する情報を訂正する車両情報訂正入力ページとにリンクしている。作業選択用ページにて新規車両情報入力ページが指定されると、新規車両情報入力ページのＨＴＭＬファイルの取得要求が、サーバ装置(3)に送信される(Ｓ１１)。サーバ装置(3)は、新規車両情報入力ページのＨＴＭＬファイルを第３端末装置(9)に送信する(Ｓ１３)。
【００２８】
図５は、新規車両情報入力ページの一例である。新規車両情報入力ページには、車両に関する基本情報を、具体的には、メーカー、車名、形式及びグレード等を入力する複数のリストボックスと、車両の装備に関する情報を、具体的にはエアコンやパワーステアリング等の有無を入力する複数のチェックボックスとが設けられている。また、新規車両情報入力ページには、売却希望者のユーザＩＤを入力するテキストボックスと、売却希望者が希望する車両の売却価格を入力するテキストボックスとが設けられている。さらに、新規車両情報入力ページには、オプション整備の内容及び費用を入力するテキストボックスと、第３端末装置(9)の記録部における車両の画像ファイルのパスを入力するテキストボックスと、車両に関する整備業者のコメントを入力するテキストボックスと、送信ボタンとが設けられている。
【００２９】
図５には、整備業者による入力が行われた状態における新規車両情報入力ページが示されている。このようにして必要な項目の入力が完了すると、送信ボタンがクリックされて、入力した情報に関するデータが、第３端末装置(9)からサーバ装置(3)に送信される(Ｓ１５)。また、パスを指定された車両の画像ファイルも第３端末装置(9)からサーバ装置(3)に送信される。第３端末装置(9)からデータを受信すると、サーバ装置(3)は、受信したデータに基づいて、新たに売買を仲介する車両を車両データベース(45)に登録する(Ｓ１７)。
【００３０】
図６は、車両データベース(45)の一例を概念的に示す説明図である。車両データベース(45)には、登録されている各車両について、車両ＩＤと、新規車両情報入力ページで入力した事項とが格納されている。エアコン等の装備の有無は、装備を有している場合を「１」で、装備がない場合を「０」で示されている。なお、車両データベース(45)では、各車両について、売却済み、仲介中又は申込み中止中である旨や、サーバ装置(3)の記録部(36)に記録されている車両の画像ファイルのパス等も格納されている。なお、図６では、図５にて例示した車両に関する一連の情報は、車両ＩＤ「００１２３４」が付されて車両データベース(45)に登録されている(最下行を参照)。
【００３１】
図４に示すステップＳ１１にて、車両情報訂正入力ページのＨＴＭＬファイルの取得要求がサーバ装置(3)に送信された場合、サーバ装置(3)は、車両データベース(45)を検索して、取得要求を送信した整備業者のユーザＩＤを有しており、仲介中である車両を特定し、特定された車両のリストを示すページのＨＴＭＬファイルを動的に作成して、第３端末装置(9)に送信する。そして、整備業者は、受信したページにおいて車両を指定する。指定された車両のデータを受信すると、サーバ装置(3)は、車両データベース(45)に登録されたその車両の情報を参照して、図５に示す新規車両情報入力ページと概ね似たような車両情報訂正入力ページのＨＴＭＬファイルを、第３端末装置(9)に送信する。なお、車両情報訂正入力ページでは、(図５に示すようにして、テキストボックスの文字やチェックボックスのマークが示された状態で)車両データベース(45)に現在登録されている事項が示される。
【００３２】
次に、購入検討者が使用する第２端末装置(7)とサーバ装置(3)の間で行われる処理について説明する。図７は、第２端末装置(7)とサーバ装置(3)の間で行われる処理を示すシーケンス図である。第２端末装置(7)にてＷＷＷブラウザが実行されて、ＨＴＴＰプロトコルに基づいて、サーバ装置(3)が公開する(中古車売買仲介業務に関する)ＷｅｂサイトにおけるホームページのＨＴＭＬファイルについて、サーバ装置(3)に向けて取得要求が送信される(Ｓ３１)。サーバ装置(3)ではサーバプログラム(38)が実行されており、サーバ装置(3)は、その取得要求を受信すると、受信した取得要求にて示されたホームページのＵＲＬに基づいて、ホームページのＨＴＭＬファイルが記録されているディレクトリを特定し、該ＨＴＭＬファイルを第２端末装置(7)に送信する(Ｓ３３)。
【００３３】
ホームページは、整備業者用ログインページや後述する売却希望者用ログインページを含む各種ページとリンクしている。購入検討者が車両検索ページを指定すると、新車両検索ページのＨＴＭＬファイルの取得要求が、サーバ装置(3)に送信される(Ｓ３５)。そして、サーバ装置(3)は、車両検索ページのＨＴＭＬファイルを(セッション管理用のＣｏｏｋｉｅと共に)第２端末装置(7)に送信し(Ｓ３７)、車両検索ページが第２端末装置(7)の表示部に表示される。
【００３４】
車両検索ページには、例えば、メーカー及び車名等の検索条件を設定するリストボックスや、装備に関する検索条件を設定するチェックボックス等が設けられている。購入検討者が、車両検索ページにて検索条件を設定して、該ページに設けられた送信ボタンをクリックすると、設定した検索条件に関するデータが、(セッション管理用のＣｏｏｋｉｅと共に)第２端末装置(7)からサーバ装置(3)に送信される(Ｓ３９)。検索条件に関するデータを受信すると、サーバ装置(3)は、車両データベース(45)に登録されている車両の中から検索条件に合致する車両を特定し、特定された車両の一覧を示す検索結果ページのＨＴＭＬファイルを動的に作成して、第２端末装置(7)に送信する(Ｓ４１)。
【００３５】
ステップＳ４１の後、購入検討者が、検索結果ページにおいて車両を選択すると、その車両に関する車両情報ページのＨＴＭＬファイルの取得要求が、サーバ装置(3)に送信される(Ｓ４３)。そして、サーバ装置(3)は、車両データベース(45)に登録されている内容に基づいて、指定された車両に関する車両情報ページのＨＴＭＬファイルを動的に作成し、第２端末装置(7)に送信する(Ｓ４５)。
【００３６】
図８に、車両情報ページの一例を示す。本図に例示した車両情報ページは、図５に例示したように新規車両情報入力ページにて入力されて、図６に例示したように車両データベース(45)に登録された車両に関する情報を示している。車両情報ページには、記録部(36)に記録されている画像ファイル(41)に基づいて車両の画像が示されており、車両データベース(45)に登録されている内容に基づいて、車両の基本情報及び装備に関する詳細情報と、整備業者のコメントと、車両価格と、オプション整備の内容及び費用とが示されている。なお、車両価格は、先に述べた売却価格と同一である。車両の画像の下には、当該車両に関する購入申込みを現在受け付けている旨が示されている。
【００３７】
さらに、車両情報ページには、納車までに要する諸費用に関する金額(項目「基本パック料金」)と、その金額と車両価格の和である総費用と、総費用とオプション整備費用の和である費用(項目「完全整備費用」)とが示されている。これらの金額は、ステップＳ４１にて、車両データベース(45)に登録されている内容に基づいて算出される。取り上げている具体例では、車両価格(売却価格)は８０万円であり、基本パック料金は１５万＋消費税として(売買仲介プログラム(39)にて)設定されていることから、総費用は９９.７５万円となっている(消費税は５％)。また、オプション整備費用の和は２２.５万円となっていることから、完全整備費用は１２２.２５万円となる。
【００３８】
車両情報ページは、購入申込ページと、先に表示された車両一覧を示す検索結果ページと、車両一覧における前の車両の車両情報ページと、車両一覧における次の車両の車両情報ページとにリンクしている。購入希望者が車両の購入を申し込む場合、購入申込ページが指定されて、購入申込ページのＨＴＭＬファイルが、サーバ装置(3)から第２端末装置(7)に送信される。そして、購入検討者は、住所、氏名及び電話番号等の必要事項を購入申込ぺージに入力し、それら事項のデータをサーバ装置(3)に送信する。サーバ装置(3)で実行される売買仲介プログラム(39)は、受信したデータに基づいて購入検討者(つまり申込者)を申込者データベース(44)に登録し、その車両に関する購入申込みの受付を中止する。車両データベース(45)にて、その車両について申込み中止である旨が登録されて、その後、当該車両について車両情報ページが作成される場合、車両の画像の下に、例えば「商談中」なる文字が示される。所定の時間(例えば１〜２日)内に申込者の確認ができなかった場合や申込みがキャンセルされた場合、管理者の指示によって、サーバ装置(3)にて申込みの受付が再開される。所定の時間内に申込者の購入意思の確認ができた場合、管理者によって車両データベース(45)が書き換えられて、車両について売約済みである旨が登録される。
【００３９】
次に、売却希望者が使用する第１端末装置(5)とサーバ装置(3)の間で行われる処理について説明する。図９は、第１端末装置(5)とサーバ装置(3)の間で行われる処理を示すシーケンス図である。まず、第３端末装置(9)にてＷＷＷブラウザが実行されて、ＨＴＴＰプロトコルに基づいて、サーバ装置(3)に向けて売却希望者用ログインページのＨＴＭＬファイルの取得要求が送信される(Ｓ６１)。サーバ装置(3)ではサーバプログラム(38)が実行されており、取得要求を受信すると、売却希望者用ログインページのＨＴＭＬファイルを第３端末装置(9)に送信する(Ｓ６３)。また、この際に、サーバ装置(3)にてセッションＩＤが発行されて、それが記載されたセッション管理用のＣｏｏｋｉｅがサーバ装置(3)から第１端末装置(5)に送られる。
【００４０】
売却希望者用ログインページには、売却希望者のユーザＩＤを入力するテキストボックスと、売却希望者のパスワードを入力するテキストボックスと、入力したデータを送信する送信ボタンとが設けられている。第１端末装置(5)の操作部(54)を用いて、売却希望者が自己のユーザＩＤ及びパスワードを入力し、送信ボタンをクリックすると、これらユーザＩＤ及びパスワードがサーバ装置(3)に向けて送信される(Ｓ６５)。また、この際に、セッション管理用のＣｏｏｋｉｅも第１端末装置(5)からサーバ装置(3)に送られる。
【００４１】
サーバ装置(3)では売買仲介プログラムが実行されており、ユーザＩＤ及びパスワードを受信すると、売却希望者データベース(42)が参照されて、第１端末装置(5)の使用者の認証処理が行われる(Ｓ６７)。ステップＳ６７にて、受信したユーザＩＤ及びパスワードの組を有する売却希望者が、売却希望者データベース(42)に登録されていない場合、ステップＳ６３が実行されて、売却希望者用ログインページのＨＴＭＬファイルが第１端末装置(5)に再度送信される。受信したユーザＩＤ及びパスワードの組を有する売却希望者が売却希望者データベース(42)に登録されている場合、選択ページのＨＴＭＬファイルが第１端末装置(5)に送信される(Ｓ６９)。なお、認証がなされると、発行されたセッションＩＤと、ユーザＩＤとを対応づけてセッション管理がなされて、以下で説明するＨＴＭＬファイル(例えば、申込状況確認ページや車両情報変更ページ等のＨＴＭＬファイル)の作成や第１端末装置(5)から送られるデータの処理等に反映される。
【００４２】
選択用ページは、申込状況を示す申込状況確認ページと、売却希望者の車両に関する情報を変更する車両情報変更ページとにリンクしている。選択用ページにて車両情報変更ページが指定されると、車両情報変更ページのＨＴＭＬファイルの取得要求がサーバ装置(3)に送信される(Ｓ７１)。サーバ装置(3)は、車両データベース(45)から売却希望者の所有する車両を特定して、その車両の登録事項に基づいて車両情報変更ページのＨＴＭＬファイルを動的に作成し、第１端末装置(5)に送信する(Ｓ７３)。
【００４３】
車両情報変更ページは、売却希望者が、自己が売却を希望している車両について、車両データベース(45)の登録事項の一部を変更するために使用される。図１０に、車両情報変更ページの一例を示す。本図に例示した車両情報変更ページは、図５に例示したように新規車両情報入力ページにて入力されて、図６に例示したように車両データベース(45)に登録された車両に対応している。車両情報変更ページには、売却希望者の名前と、売却を希望する車両に関する基本事項と、車両価格とが示されている。
【００４４】
本実施例の中古車売買仲介システムは、売却希望者に対して、自己の車両に関する車両価格(売却価格)、走行距離、車検満了日及び装備とについて、車両データベース(45)における登録事項の変更を認めている。車両情報変更ページには、変更事項を入力するフォームが、より具体的に述べると、変更される車両価格、走行距離及び車検満了日を入力するテキストボックス及びリストボックスと、装備を入力するチェックボックスとが設けられている。なお、ステップＳ７３にて、サーバ装置(3)は、これらチェックボックスに、車両が現在有している項目にチェックマークが付されるように車両情報変更ページのＨＴＭＬファイルを作成する。また、サーバ装置(3)は、テキストボックス及びリストボックスに現在の登録事項が記載されるように車両情報変更ページのＨＴＭＬファイルを作成する(例えば、車両価格のテキストボックスには、当初「８０００００」が記載される)。
【００４５】
例えば、現在における車両の実際の走行距離が１８０００ｋｍから２００００ｋｍに変化しており、車両にカーナビゲーション装置及びアルミホイールが追加されており、売却希望者が、売却価格を８０万から９０万に上げたい場合には、図１０に示すように車両情報変更ページの入力がなされる。変更内容の入力が完了すると、車両情報変更ページに設けられた送信ボタンがクリックされて、変更内容に関するデータが第１端末装置(5)からサーバ装置(3)に送信される(Ｓ７５)。
【００４６】
ステップＳ７５の後、サーバ装置(3)は、受信したデータに基づいて車両データベース(45)を修正する(Ｓ７７)。図１１は、図６に例示した車両データベース(45)が変更された模様を示す説明図である。なお、車両データベース(45)に登録されている車両の数は、図６に示す状態から増えている。図１１では、図１０に例示した変更内容に基づいて、車両ＩＤが「００１２３４」である車両について、走行距離が「１８０００」から「２００００」に、ナビゲーション及びアルミホイールが「０」から「１」に、車両価格が「８０００００」から「９０００００」に書き換えられている。車両データベース(45)が完了すると、変更完了を告げるページのＨＴＭＬファイルが、サーバ装置(3)から第１端末装置(5)に送信される(Ｓ７９)。
【００４７】
このように、売却希望者によって、自己の車両に関する車両データベース(45)の登録事項の変更が行われた後に、購入検討者の第２端末装置(7)とサーバ装置(3)の間で図７に示す処理が行われると、変更された車両データベース(45)に基づいて、ステップＳ４１の検索処理やステップＳ４５の車両情報ページの作成が行われる。図１２に、例示した車両について図１１に示す車両データベース(45)に基づいて作成された車両情報ページを示す。図５に示す車両情報ページと比較すると、走行距離が２００００ｋｍになっており、装備に関してナビゲーション及びアルミホイールが追加されている。また、車両価格が９０万に変更されており、これに伴って、総費用と完全整備費用とが、１０９.７５万円と１３２.２５万円とに夫々変更されている。
【００４８】
上記実施例では、事業者と提携した整備業者が、車両情報ページの作成に必要な情報をサーバ装置(3)に送信しているが、これらの情報及び車両の画像ファイルは、売却希望者によって、第１端末装置(5)からサーバ装置(3)に送信されてもよい。つまり、本発明において、整備業者と第２端末装置(7)の存在は必須ではないことに留意されるべきである。
【００４９】
また、図５等で示した各種Ｗｅｂページは、あくまでも例示を目的とするものであって、例えば、図１０の車両情報変更ページにて、修復歴を変更するためのリストボックスが設けられてもよく、また、１つのリストボックスやテキストボックス、例えば販売価格を変更するためのテキストボックスのみが設けられてもよい。さらに、車両情報ページにて販売価格に基づいて提示される金額は、納車までの総費用のみであってもよく、例示したもの以外にも計算されて提示されてもよい。さらに、図５等で示したＷｅｂページの各々は、特に図１０に示す車両情報変更ページは、互いにリンクされた複数のＷｅｂページで構成されてもよい。
【００５０】
車両の個人間売買を仲介する中古車売買仲介システムを例にして、本発明を説明したが、本発明は、車両以外の商品の個人間売買を仲介する商品売買仲介システムに適用されてもよいことは容易に理解されるはずである。商品には不動産が含まれており、例えば、本発明を不動産売買の仲介に適用することで、売買希望者は、リフォームや修繕等による不動産価値の変動に伴って、売却を希望する不動産に関するコンテンツを変更することが容易に可能となるだろう。
【００５１】
上記実施例の説明は、本発明を説明するためのものであって、特許請求の範囲に登録の発明を限定し、或いは範囲を減縮する様に解すべきではない。また、本発明の各部構成は上記実施例に限らず、特許請求の範囲に登録の技術的範囲内で種々の変形が可能であることは勿論である。
【図面の簡単な説明】
【００５２】
【図１】本発明の一実施例である中古車売買仲介システムの概要を示す説明図である。
【図２】本発明の一実施例であるサーバ装置の構成を示すブロック図である。
【図３】本発明の中古車売買仲介システムに含まれる第１端末装置の構成を示すブロック図である
【図４】本発明の中古車売買仲介システムにおいて、整備業者が使用する第３端末装置とサーバ装置の間で行われる処理を示すシーケンス図である。
【図５】本発明のサーバ装置が公開する新規車両情報入力ページの一例である。
【図６】本発明のサーバ装置が有する車両データベースの一例を概念的に示す説明図である。
【図７】本発明の中古車売買仲介システムにおいて、購入検討者が使用する第２端末装置とサーバ装置の間で行われる処理を示すシーケンス図である。
【図８】本発明のサーバ装置が公開する車両情報ページの一例を示す説明図である。
【図９】本発明の中古車売買仲介システムにおいて、売却希望者が使用する第１端末装置とサーバ装置の間で行われる処理を示すシーケンス図である。
【図１０】本発明のサーバ装置が公開する車両情報変更ページを示す説明図である。
【図１１】本発明のサーバ装置が有する車両データベースの一例を概念的に示す説明図である。
【図１２】本発明のサーバ装置が公開する車両情報ページの一例である。
【符号の説明】
【００５３】
(1)     ネットワーク
(3)     サーバ装置
(5)     第１端末装置
(7)     第２端末装置
(9)     第３端末装置
(31)    ＣＰＵ
(33)    通信部
(36)    記録部
(38)    サーバプログラム
(39)    売買仲介プログラム
(42)    売却希望者データベース
(45)    車両データベース
(51)    ＣＰＵ
(53)    通信部
(58)    ＷＷＷブラウザ
【図１】
2007102656.tif 000003
【図２】
2007102656.tif 000004
【図３】
2007102656.tif 000005
【図４】
2007102656.tif 000006
【図５】
2007102656.tif 000007
【図６】
2007102656.tif 000008
【図７】
2007102656.tif 000009
【図８】
2007102656.tif 000010
【図９】
2007102656.tif 000011
【図１０】
2007102656.tif 000012
【図１１】
2007102656.tif 000013
【図１２】
2007102656.tif 000014
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
売買を仲介する商品に関する情報を格納する商品データベースと、売却希望者を登録する売却希望者データベースとを有しており、前記商品データベースを参照して、商品に関する情報を示すコンテンツを作成し、ネットワークを通じて公開するサーバ装置と、前記ネットワークを介して前記サーバ装置と通信可能に接続された第１端末装置及び第２端末装置とを具えており、商品の個人間売買を前記ネットワークを利用して仲介する商品売買仲介システムにおいて、
前記サーバ装置は、商品の個人間売買を仲介する仲介業者によって運営され、
前記第１端末装置は、前記仲介業者と事業提携した提携業者によって使用され、
前記サーバ装置は、前記第１端末装置から送られた情報に基づいて、売買を仲介する商品を前記商品データベースに登録し、前記第２端末装置から認証用情報が送られると、前記認証用情報を前記売却希望者データベースと照合して、前記第２端末装置の使用者が前記売却希望者データベースに登録された売却希望者であるか否かを判断し、
前記使用者が前記売却希望者データベースに登録された売却希望者である場合、前記サーバ装置は、前記使用者が売却を希望する商品に関する情報について、売却希望者による変更が認められている項目に関する変更事項が前記第２端末装置から送られると、前記変更事項に基づいて、前記使用者が売却を希望する商品に関する情報の一部について前記商品データベースを書き換えることを特徴とする商品売買仲介システム。
【請求項２】
前記商品データベースに格納される情報には、売買を仲介する商品の販売価格が含まれており、
前記コンテンツでは、前記コンテンツで情報が示される商品に係る販売価格が示され、
前記項目には、前記使用者が売却を希望する商品の販売価格が含まれる、請求項１に記載の商品売買仲介システム。
【請求項３】
前記コンテンツでは、前記コンテンツで情報が示される商品に係る販売価格を用いて算出される金額が示される、請求項２に記載の商品売買仲介システム。
【請求項４】
前記商品データベースは、売買を仲介する車両に関する情報を格納する車両データベースであって、車両の個人間売買を仲介する、請求項１乃至３の何れかに記載の商品売買仲介システム。
【請求項５】
商品の個人間売買をネットワークを利用して仲介する商品売買仲介方法において、
売買を仲介する商品に関する情報を格納する商品データベースと、売却希望者を登録する売却希望者データベースとを有しており、商品の個人間売買を仲介する仲介業者によって運営されるサーバ装置にて、前記仲介業者と事業提携した提携業者によって使用される第１端末装置から送られた情報に基づいて、売買を仲介する商品を前記商品データベースに登録するステップと、
前記サーバ装置にて、前記ネットワークを介して前記サーバ装置と通信可能に接続された第２端末装置から送られた認証用情報を、前記売却希望者データベースと照合して、前記第２端末装置の使用者が前記売却希望者データベースに登録された売却希望者であるか否かを判断するステップと、
前記使用者が前記売却希望者データベースに登録された売却希望者である場合、前記使用者が売却を希望する商品に関する情報について、売却希望者による変更が認められている項目に関する変更事項が前記第２端末装置から前記サーバ装置に送られると、前記サーバ装置にて、前記変更事項に基づいて、前記使用者が売却を希望する商品に関する情報の一部について前記商品データベースを書き換えるステップと、
前記サーバ装置にて、前記商品データベースを参照して、商品に関する情報を示すコンテンツを作成し、前記ネットワークを通じて公開するステップとを含むことを特徴とする商品売買仲介方法。
【請求項６】
前記商品データベースに格納される情報には、売買を仲介する商品の販売価格が含まれており、
前記コンテンツでは、前記コンテンツで情報が示される商品に係る販売価格が示され、
前記項目には、前記使用者が売却を希望する商品の販売価格が含まれる、請求項５に記載の商品売買仲介方法。
【請求項７】
前記コンテンツでは、前記コンテンツで情報が示される商品に係る販売価格を用いて算出される金額が示される、請求項６に記載の商品売買仲介方法。
【請求項８】
前記商品データベースは、売買を仲介する車両に関する情報を格納する車両データベースであって、車両の個人間売買が仲介される、請求項５乃至７の何れかに記載の商品売買仲介方法。
【請求項９】
売買を仲介する商品に関する情報を格納する商品データベースと、売却希望者を登録する売却希望者データベースとを有しており、前記商品データベースを用いて商品に関する情報を示すコンテンツを作成してネットワークを通じて公開し、商品の個人間売買を仲介する仲介業者によって運営されるサーバ装置において、
前記ネットワークに接続されており、前記仲介業者と事業提携した提携業者が使用する第１端末装置から送られた情報に基づいて、売買を仲介する商品を前記商品データベースに登録し、
前記ネットワークに接続された第２端末装置から認証用情報が送られると、前記認証用情報を前記売却希望者データベースと照合して、前記第２端末装置の使用者が前記売却希望者データベースに登録された売却希望者であるか否かを判断し、
前記使用者が前記売却希望者データベースに登録された売却希望者である場合、前記使用者が売却を希望する商品に関する情報について、売却希望者による変更が認められている項目に関した変更事項が前記第２端末装置から送られると、前記変更事項に基づいて、前記使用者が売却を希望する商品に関する情報の一部について前記商品データベースを書き換えることを特徴とするサーバ装置。
【請求項１０】
売買を仲介する商品に関する情報を格納する商品データベースと、売却希望者を登録する売却希望者データベースとを有しており、前記商品データベースを参照して、商品に関する情報を示す１又は複数のＷｅｂページを作成し、ネットワークを通じて公開するサーバ装置と、前記ネットワークを介して前記サーバ装置と通信可能に接続された第１端末装置及び第２端末装置とを具えており、商品の個人間売買を前記ネットワークを利用して仲介する商品売買仲介システムにおいて、
前記サーバ装置は、商品の個人間売買を仲介する仲介業者によって運営され、
前記第１端末装置は、前記仲介業者と事業提携した提携業者によって使用され、
前記第２端末装置は、ＷＷＷブラウザを搭載しており、
前記サーバ装置は、前記第１端末装置から送られた情報に基づいて、売買を仲介する商品を前記商品データベースに登録し、前記第２端末装置から認証用情報が送られると、前記認証用情報を前記売却希望者データベースと照合して、前記第２端末装置の使用者が前記売却希望者データベースに登録された売却希望者であるか否かを判断し、
前記使用者が前記売却希望者データベースに登録された売却希望者である場合、前記サーバ装置は、前記使用者が売却を希望する商品に関する情報について、売却希望者による変更が認められている項目に関した変更事項を入力するフォームが設けられた変更用Ｗｅｂページを作成して、前記端末装置に送信し、
前記第２端末装置から前記変更事項に関するデータを受信すると、前記サーバ装置は、前記データに基づいて、前記使用者が売却を希望する商品に関する情報の一部について前記商品データベースを書き換えることを特徴とする商品売買仲介システム。
【手続補正２】
【補正対象書類名】明細書
【補正対象項目名】０００９
【補正方法】変更
【補正の内容】
【０００９】
本発明の商品売買仲介システムは、売買を仲介する商品に関する情報を格納する商品データベースと、売却希望者を登録する売却希望者データベースとを有しており、前記商品データベースを参照して、商品に関する情報を示すコンテンツを作成し、ネットワークを通じて公開するサーバ装置と、前記ネットワークを介して前記サーバ装置と通信可能に接続された第１端末装置及び第２端末装置とを具えており、商品の個人間売買を前記ネットワークを利用して仲介する商品売買仲介システムにおいて、前記サーバ装置は、商品の個人間売買を仲介する仲介業者によって運営され、前記第１端末装置は、前記仲介業者と事業提携した提携業者によって使用され、前記サーバ装置は、前記第１端末装置から送られた情報に基づいて、売買を仲介する商品を前記商品データベースに登録し、前記第２端末装置から認証用情報が送られると、前記認証用情報を前記売却希望者データベースと照合して、前記第２端末装置の使用者が前記売却希望者データベースに登録された売却希望者であるか否かを判断し、前記使用者が前記売却希望者データベースに登録された売却希望者である場合、前記サーバ装置は、前記使用者が売却を希望する商品に関する情報について、売却希望者による変更が認められている項目に関する変更事項が前記第２端末装置から送られると、前記変更事項に基づいて、前記使用者が売却を希望する商品に関する情報の一部について前記商品データベースを書き換えることを特徴とする。
【手続補正３】
【補正対象書類名】明細書
【補正対象項目名】００１０
【補正方法】変更
【補正の内容】
【００１０】
本発明の商品売買仲介方法は、商品の個人間売買をネットワークを利用して仲介する商品売買仲介方法において、売買を仲介する商品に関する情報を格納する商品データベースと、売却希望者を登録する売却希望者データベースとを有しており、商品の個人間売買を仲介する仲介業者によって運営されるサーバ装置にて、前記仲介業者と事業提携した提携業者によって使用される第１端末装置から送られた情報に基づいて、売買を仲介する商品を前記商品データベースに登録するステップと、前記サーバ装置にて、前記ネットワークを介して前記サーバ装置と通信可能に接続された第２端末装置から送られた認証用情報を、前記売却希望者データベースと照合して、前記第２端末装置の使用者が前記売却希望者データベースに登録された売却希望者であるか否かを判断するステップと、前記使用者が前記売却希望者データベースに登録された売却希望者である場合、前記使用者が売却を希望する商品に関する情報について、売却希望者による変更が認められている項目に関する変更事項が前記第２端末装置から前記サーバ装置に送られると、前記サーバ装置にて、前記変更事項に基づいて、前記使用者が売却を希望する商品に関する情報の一部について前記商品データベースを書き換えるステップと、前記サーバ装置にて、前記商品データベースを参照して、商品に関する情報を示すコンテンツを作成し、前記ネットワークを通じて公開するステップとを含むことを特徴とする。
【手続補正４】
【補正対象書類名】明細書
【補正対象項目名】００１１
【補正方法】変更
【補正の内容】
【００１１】
本発明のサーバ装置は、売買を仲介する商品に関する情報を格納する商品データベースと、売却希望者を登録する売却希望者データベースとを有しており、前記商品データベースを用いて商品に関する情報を示すコンテンツを作成してネットワークを通じて公開し、商品の個人間売買を仲介する仲介業者によって運営されるサーバ装置において、前記ネットワークに接続されており、前記仲介業者と事業提携した提携業者が使用する第１端末装置から送られた情報に基づいて、売買を仲介する商品を前記商品データベースに登録し、前記ネットワークに接続された第２端末装置から認証用情報が送られると、前記認証用情報を前記売却希望者データベースと照合して、前記第２端末装置の使用者が前記売却希望者データベースに登録された売却希望者であるか否かを判断し、前記使用者が前記売却希望者データベースに登録された売却希望者である場合、前記使用者が売却を希望する商品に関する情報について、売却希望者による変更が認められている項目に関した変更事項が前記第２端末装置から送られると、前記変更事項に基づいて、前記使用者が売却を希望する商品に関する情報の一部について前記商品データベースを書き換えることを特徴とする。
【手続補正５】
【補正対象書類名】明細書
【補正対象項目名】００１２
【補正方法】変更
【補正の内容】
【００１２】
本発明の商品売買仲介システムは、売買を仲介する商品に関する情報を格納する商品データベースと、売却希望者を登録する売却希望者データベースとを有しており、前記商品データベースを参照して、商品に関する情報を示す１又は複数のＷｅｂページを作成し、ネットワークを通じて公開するサーバ装置と、前記ネットワークを介して前記サーバ装置と通信可能に接続された第１端末装置及び第２端末装置とを具えており、商品の個人間売買を前記ネットワークを利用して仲介する商品売買仲介システムにおいて、前記サーバ装置は、商品の個人間売買を仲介する仲介業者によって運営され、前記第１端末装置は、前記仲介業者と事業提携した提携業者によって使用され、前記第２端末装置は、ＷＷＷブラウザを搭載しており、前記サーバ装置は、前記第１端末装置から送られた情報に基づいて、売買を仲介する商品を前記商品データベースに登録し、前記第２端末装置から認証用情報が送られると、前記認証用情報を前記売却希望者データベースと照合して、前記第２端末装置の使用者が前記売却希望者データベースに登録された売却希望者であるか否かを判断し、前記使用者が前記売却希望者データベースに登録された売却希望者である場合、前記サーバ装置は、前記使用者が売却を希望する商品に関する情報について、売却希望者による変更が認められている項目に関した変更事項を入力するフォームが設けられた変更用Ｗｅｂページを作成して、前記端末装置に送信し、前記第２端末装置から前記変更事項に関するデータを受信すると、前記サーバ装置は、前記データに基づいて、前記使用者が売却を希望する商品に関する情報の一部について前記商品データベースを書き換えることを特徴とする。
【手続補正６】
【補正対象書類名】明細書
【補正対象項目名】００１４
【補正方法】変更
【補正の内容】
【００１４】
売買の成立を左右する最も重要な因子の１つは、商品の販売価格である。故に、本発明では、商品データベースに格納される情報には、売買を仲介する商品の販売価格が含まれており、商品に関する情報を示すコンテンツでは、商品に関する販売価格が示され、売却希望者による変更が認められている項目には、使用者が売却を希望する商品の販売価格が含まれるのが好ましい。さらに、本発明では、商品に関する情報を示すコンテンツにて、販売価格を用いて算出される金額が示されることが好ましい。これによって、商品の販売価格に諸費用を加えた金額がコンテンツで示されると共に、コンテンツで示されるこのような金額が、販売価格の変更に応じて変更される。
【手続補正７】
【補正対象書類名】明細書
【補正対象項目名】００１７
【補正方法】変更
【補正の内容】
【００１７】
整備業者は事業者と事業提携をしており、事業者から連絡を受けると、売却希望者の元に赴いて車両を確認する。そして、売却希望者の車両に関するコンテンツを作成するために必要な各種情報を、第３端末装置(9)を用いてサーバ装置(3)に送信する。また、購入者が決定された後に、売却希望者から車両を受領し、必要な整備を施して購入者への納車を行う。
【手続補正８】
【補正対象書類名】明細書
【補正対象項目名】００２３
【補正方法】変更
【補正の内容】
【００２３】
以下、本実施例の中古車売買仲介システムにおいて、サーバ装置(3)と第１乃至３端末装置(5)(7)(9)の間で行われる処理について、より詳細に説明する。まず、整備業者が使用する第３端末装置(9)とサーバ装置(3)の間で行われる処理について説明する。先述したように、整備業者は、事業者から連絡を受けると、売却希望者の元に赴いて、車両の種別、装備、程度及び修理箇所等について確認し、車両を撮影して公開される車両の画像ファイルを作成する。また、整備業者は、購入検討者に(最初に)提示する車両の売却価格(販売価格)について、専門家として売却希望者に助言を行い、さらに、購入検討者に推奨するオプション整備の見積りなどを行う。そして、整備業者は、車両の種別や売却価格などのサーバ装置(3)にて公開される車両に関する情報を、画像ファイルと共に第３端末装置(9)を用いてサーバ装置(3)に送る。
【手続補正９】
【補正対象書類名】明細書
【補正対象項目名】００５３
【補正方法】変更
【補正の内容】
【００５３】
(1)     ネットワーク
(3)     サーバ装置
(5)     端末装置
(7)     端末装置
(9)     端末装置
(31)    ＣＰＵ
(33)    通信部
(36)    記録部
(38)    サーバプログラム
(39)    売買仲介プログラム
(42)    売却希望者データベース
(45)    車両データベース
(51)    ＣＰＵ
(53)    通信部
(58)    ＷＷＷブラウザ
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
仲介業者が個人間売買を仲介する中古車に関する情報を示すコンテンツを作成し、ネットワークを介して公開するＷＷＷサーバ装置と、前記ネットワークを介して前記ＷＷＷサーバ装置と通信可能に接続されており、前記仲介業者を介して自己の所有する中古車を売却することを希望する売却希望者が使用する第１端末装置と、前記ネットワークを介して前記ＷＷＷサーバ装置と通信可能に接続されており、前記仲介業者と事業提携した整備業者が使用する第２端末装置と、前記ネットワークを介して前記ＷＷＷサーバ装置と通信可能に接続されており、前記ＷＷＷサーバ装置から前記コンテンツを取得して表示する第３端末装置とを具える中古車売買仲介システムにおいて、
前記ＷＷＷサーバ装置は、前記仲介業者が売買を仲介する中古車が登録される車両データベースと、売却希望者が認証用情報と共に登録される売却希望者データベースと、整備業者が認証用情報と共に登録される整備業者データベースとを有しており、
前記ＷＷＷサーバ装置は、前記第２端末装置から認証用情報を受信すると、その認証用情報に基づいて、前記第２端末装置の使用者が前記整備業者データベースに登録されている整備業者であるか否かを判断し、前記第２端末装置の使用者が前記整備業者データベースに登録されている整備業者である場合、前記仲介業者によって売買が仲介される新たな中古車に関しており、前記新たな中古車の販売価格を含む車両情報を、前記第２端末装置から受信すると、前記車両情報と共に前記新たな中古車を前記車両データベースに登録し、
前記ＷＷＷサーバ装置は、前記車両データベースに登録されている特定の中古車に関するコンテンツの取得要求を前記第３端末装置から受信すると、前記車両データベースを参照して、前記特定の中古車の販売価格を含んでおり、前記特定の中古車に関するコンテンツを作成して、前記第３端末装置に送信し、
前記ＷＷＷサーバ装置は、前記第１端末装置から認証用情報を受信した場合、その認証用情報に基づいて、前記第１端末装置の使用者が前記売却希望者データベースに登録されている売却希望者であるか否かを判断し、前記第１端末装置の使用者が前記売却希望者データベースに登録されている売却希望者である場合、前記第１端末装置の使用者が所有している中古車の新たな販売価格を入力するためのフォームを有する車両情報変更ページの取得要求を、前記第１端末装置から受信すると、前記車両情報変更ページのＨＴＭＬファイルを前記第１端末装置に送信し、
前記第１端末装置は、前記ＨＴＭＬファイルを受信すると、前記第１端末装置の表示部に前記車両情報変更ページを表示して、前記第１端末装置の操作部を用いて前記車両情報変更ページに入力された新たな販売価格を前記ＷＷＷサーバ装置に送信し、
前記ＷＷＷサーバ装置は、前記入力された新たな販売価格を前記第１端末装置から受信すると、前記第１端末装置の使用者が所有している中古車の販売価格が前記入力された新たな販売価格になるように、前記車両データベースを書き換えることを特徴とする中古車売買仲介システム。
【請求項２】
仲介業者が個人間売買を仲介する中古車に関する情報を示すコンテンツを作成し、ネットワークを介して公開するＷＷＷサーバ装置と、前記ネットワークを介して前記ＷＷＷサーバ装置と通信可能に接続されており、前記仲介業者を介して自己の所有する中古車を売却することを希望する売却希望者が使用する第１端末装置と、前記ネットワークを介して前記ＷＷＷサーバ装置と通信可能に接続されており、前記仲介業者と事業提携した整備業者が使用する第２端末装置と、前記ネットワークを介して前記ＷＷＷサーバ装置と通信可能に接続されており、前記ＷＷＷサーバ装置から前記コンテンツを取得して表示する第３端末装置とを具える中古車売買仲介システムにおいて、
前記ＷＷＷサーバ装置は、前記仲介業者が売買を仲介する中古車が登録される車両データベースと、売却希望者が認証用情報と共に登録される売却希望者データベースと、整備業者が認証用情報と共に登録される整備業者データベースとを有しており、
前記ＷＷＷサーバ装置は、前記第２端末装置から認証用情報を受信すると、その認証用情報に基づいて、前記第２端末装置の使用者が前記整備業者データベースに登録されている整備業者であるか否かを判断し、前記第２端末装置の使用者が前記整備業者データベースに登録されている整備業者である場合、前記仲介業者によって売買が仲介される新たな中古車に関しており、前記新たな中古車の販売価格、走行距離及び各種装備の有無を含む車両情報を、前記第２端末装置から受信すると、前記車両情報と共に前記新たな中古車を前記車両データベースに登録し、
前記ＷＷＷサーバ装置は、前記車両データベースに登録されている特定の中古車に関するコンテンツの取得要求を前記第３端末装置から受信すると、前記車両データベースを参照して、前記特定の中古車の販売価格、走行距離及び各種装備の有無を含んでおり、前記特定の中古車に関するコンテンツを作成して、前記第３端末装置に送信し、
前記ＷＷＷサーバ装置は、前記第１端末装置から認証用情報を受信した場合、その認証用情報に基づいて、前記第１端末装置の使用者が前記売却希望者データベースに登録されている売却希望者であるか否かを判断し、前記第１端末装置の使用者が前記売却希望者データベースに登録されている売却希望者である場合、前記第１端末装置の使用者が所有している中古車について前記車両データベースに登録されている項目の一部である販売価格、走行距離及び各種装備の有無に関して変更事項を入力するための複数のフォームを有する車両情報変更ページの取得要求を、前記第１端末装置から受信すると、前記車両情報変更ページのＨＴＭＬファイルを前記第１端末装置に送信し、
前記第１端末装置は、前記ＨＴＭＬファイルを受信すると、前記第１端末装置の表示部に前記車両情報変更ページを表示して、前記第１端末装置の操作部を用いて前記車両情報変更ページに入力された変更事項を前記ＷＷＷサーバ装置に送信し、
前記ＷＷＷサーバ装置は、前記入力された変更事項を前記第１端末装置から受信すると、前記第１端末装置の使用者が所有している中古車について、前記入力された変更事項が新たに登録されるように、前記車両データベースを書き換えることを特徴とする中古車売買仲介システム。
【請求項３】
前記ＷＷＷサーバ装置は、前記特定の中古車に関するコンテンツの取得要求を前記第３端末装置から受信した場合、前記特定の中古車の販売価格に基づいて前記特定の中古車の納車までの総費用を算出し、前記総費用が含まれるように前記特定の中古車に関するコンテンツを作成して、前記第３端末装置に送信する、請求項１又は請求項２に記載の中古車売買仲介システム。
【請求項４】
中古車の個人間売買をネットワークを利用して仲介する中古車売買仲介方法において、
ＷＷＷサーバ装置が、前記ネットワークを介して前記ＷＷＷサーバ装置に通信可能に接続された第１端末装置から受信した認証用情報に基づいて、前記第１端末装置の使用者が整備業者データベースに登録されている整備業者であるか否かを判断するステップと、
前記第１端末装置の使用者が前記整備業者データベースに登録されている整備業者である場合、前記ＷＷＷサーバ装置が、売買が仲介される中古車に関しており、その中古車の販売価格を含む車両情報を前記第１端末装置から受信して、前記車両情報と共にその中古車を車両データベースに登録するステップと、
前記ＷＷＷサーバ装置が、前記ネットワークを介して前記ＷＷＷサーバ装置に通信可能に接続された第２端末装置から受信した認証用情報に基づいて、前記第２端末装置の使用者が売却希望者データベースに登録されている売却希望者であるか否かを判断するステップと、
前記第２端末装置の使用者が前記売却希望者データベースに登録されている売却希望者である場合、前記ＷＷＷサーバ装置が、前記第２端末装置の使用者が所有している中古車の新たな販売価格を入力するためのフォームを有する車両情報変更ページの取得要求を前記第２端末装置から受信すると、前記車両情報変更ページのＨＴＭＬファイルを前記第２端末装置に送信するステップと、
前記ＷＷＷサーバ装置が、前記第２端末装置の表示部に表示された前記車両情報変更ページに入力された新たな販売価格を、前記第２端末装置から受信すると、前記第２端末装置の使用者が所有している中古車の販売価格が前記入力された新たな販売価格になるように、前記車両データベースを書き換えるステップと、
前記ＷＷＷサーバ装置が、前記車両データベースに登録されている特定の中古車に関するコンテンツの取得要求を、前記ネットワークを介して前記ＷＷＷサーバ装置に通信可能に接続された第３端末装置から受信すると、前記車両データベースを参照して、前記特定の中古車の販売価格を含む前記コンテンツを作成し、前記第３端末装置に送信するステップとを含むことを特徴とする中古車売買仲介方法。
【請求項５】
中古車の個人間売買をネットワークを利用して仲介する中古車売買仲介方法において、
ＷＷＷサーバ装置が、前記ネットワークを介して前記ＷＷＷサーバ装置に通信可能に接続された第１端末装置から受信した認証用情報に基づいて、前記第１端末装置の使用者が整備業者データベースに登録されている整備業者であるか否かを判断するステップと、
前記第１端末装置の使用者が前記整備業者データベースに登録されている整備業者である場合、前記ＷＷＷサーバ装置が、売買が仲介される中古車に関しており、その中古車の販売価格、走行距離及び各種装備の有無を含む車両情報を前記第１端末装置から受信して、前記車両情報と共にその中古車を車両データベースに登録するステップと、
前記ＷＷＷサーバ装置が、前記ネットワークを介して前記ＷＷＷサーバ装置に通信可能に接続された第２端末装置から受信した認証用情報に基づいて、前記第２端末装置の使用者が売却希望者データベースに登録されている売却希望者であるか否かを判断するステップと、
前記第２端末装置の使用者が前記売却希望者データベースに登録されている売却希望者である場合、前記ＷＷＷサーバ装置が、前記第２端末装置の使用者が所有している中古車について前記車両データベースに登録されている項目の一部である販売価格、走行距離及び各種装備の有無に関して変更事項を入力するための複数のフォームを有する車両情報変更ページの取得要求を、前記第２端末装置から受信すると、前記車両情報変更ページのＨＴＭＬファイルを前記第２端末装置に送信するステップと、
前記ＷＷＷサーバ装置が、前記第２端末装置の表示部に表示された前記車両情報変更ページに入力された変更事項を、前記第２端末装置から受信すると、前記第２端末装置の使用者が所有している中古車について、前記入力された変更事項が新たに登録されるように前記車両データベースを書き換えるステップと、
前記ＷＷＷサーバ装置が、前記車両データベースに登録されている特定の中古車に関するコンテンツの取得要求を、前記ネットワークを介して前記ＷＷＷサーバ装置に通信可能に接続された第３端末装置から受信すると、前記車両データベースを参照して、前記特定の中古車の販売価格、走行距離及び各種装備の有無を含む前記コンテンツを作成し、前記第３端末装置に送信するステップとを含むことを特徴とする中古車売買仲介方法。
【請求項６】
前記ＷＷＷサーバ装置が、前記コンテンツの取得要求を前記第３端末装置から受信すると、前記特定の中古車の販売価格に基づいて前記特定の中古車の納車までの総費用を算出するステップを含んでおり、前記コンテンツには前記総費用も含まれる、請求項４又は請求項５に記載の中古車売買仲介方法。
【手続補正３】
【補正対象書類名】明細書
【補正対象項目名】０００８
【補正方法】変更
【補正の内容】
【０００８】
本発明は、上記の問題を解決するものであって、売却希望者の所有する中古車に関してネットワーク上にて公開されるコンテンツを、売却希望者の求めに応じて容易に変更することを可能とする中古車売買仲介システム及び中古車売買仲介方法を提供する。
【手続補正４】
【補正対象書類名】明細書
【補正対象項目名】０００９
【補正方法】変更
【補正の内容】
【０００９】
本発明の中古車売買仲介システムは、仲介業者が個人間売買を仲介する中古車に関する情報を示すコンテンツを作成し、ネットワークを介して公開するＷＷＷサーバ装置と、前記ネットワークを介して前記ＷＷＷサーバ装置と通信可能に接続されており、前記仲介業者を介して自己の所有する中古車を売却することを希望する売却希望者が使用する第１端末装置と、前記ネットワークを介して前記ＷＷＷサーバ装置と通信可能に接続されており、前記仲介業者と事業提携した整備業者が使用する第２端末装置と、前記ネットワークを介して前記ＷＷＷサーバ装置と通信可能に接続されており、前記ＷＷＷサーバ装置から前記コンテンツを取得して表示する第３端末装置とを具える中古車売買仲介システムにおいて、前記ＷＷＷサーバ装置は、前記仲介業者が売買を仲介する中古車が登録される車両データベースと、売却希望者が認証用情報と共に登録される売却希望者データベースと、整備業者が認証用情報と共に登録される整備業者データベースとを有しており、前記ＷＷＷサーバ装置は、前記第２端末装置から認証用情報を受信すると、その認証用情報に基づいて、前記第２端末装置の使用者が前記整備業者データベースに登録されている整備業者であるか否かを判断し、前記第２端末装置の使用者が前記整備業者データベースに登録されている整備業者である場合、前記仲介業者によって売買が仲介される新たな中古車に関しており、前記新たな中古車の販売価格を含む車両情報を、前記第２端末装置から受信すると、前記車両情報と共に前記新たな中古車を前記車両データベースに登録し、前記ＷＷＷサーバ装置は、前記車両データベースに登録されている特定の中古車に関するコンテンツの取得要求を前記第３端末装置から受信すると、前記車両データベースを参照して、前記特定の中古車の販売価格を含んでおり、前記特定の中古車に関するコンテンツを作成して、前記第３端末装置に送信し、前記ＷＷＷサーバ装置は、前記第１端末装置から認証用情報を受信した場合、その認証用情報に基づいて、前記第１端末装置の使用者が前記売却希望者データベースに登録されている売却希望者であるか否かを判断し、前記第１端末装置の使用者が前記売却希望者データベースに登録されている売却希望者である場合、前記第１端末装置の使用者が所有している中古車の新たな販売価格を入力するためのフォームを有する車両情報変更ページの取得要求を、前記第１端末装置から受信すると、前記車両情報変更ページのＨＴＭＬファイルを前記第１端末装置に送信し、前記第１端末装置は、前記ＨＴＭＬファイルを受信すると、前記第１端末装置の表示部に前記車両情報変更ページを表示して、前記第１端末装置の操作部を用いて前記車両情報変更ページに入力された新たな販売価格を前記ＷＷＷサーバ装置に送信し、前記ＷＷＷサーバ装置は、前記入力された新たな販売価格を前記第１端末装置から受信すると、前記第１端末装置の使用者が所有している中古車の販売価格が前記入力された新たな販売価格になるように、前記車両データベースを書き換えることを特徴とする。
【手続補正５】
【補正対象書類名】明細書
【補正対象項目名】００１０
【補正方法】変更
【補正の内容】
【００１０】
本発明の中古車売買仲介システムは、仲介業者が個人間売買を仲介する中古車に関する情報を示すコンテンツを作成し、ネットワークを介して公開するＷＷＷサーバ装置と、前記ネットワークを介して前記ＷＷＷサーバ装置と通信可能に接続されており、前記仲介業者を介して自己の所有する中古車を売却することを希望する売却希望者が使用する第１端末装置と、前記ネットワークを介して前記ＷＷＷサーバ装置と通信可能に接続されており、前記仲介業者と事業提携した整備業者が使用する第２端末装置と、前記ネットワークを介して前記ＷＷＷサーバ装置と通信可能に接続されており、前記ＷＷＷサーバ装置から前記コンテンツを取得して表示する第３端末装置とを具える中古車売買仲介システムにおいて、前記ＷＷＷサーバ装置は、前記仲介業者が売買を仲介する中古車が登録される車両データベースと、売却希望者が認証用情報と共に登録される売却希望者データベースと、整備業者が認証用情報と共に登録される整備業者データベースとを有しており、前記ＷＷＷサーバ装置は、前記第２端末装置から認証用情報を受信すると、その認証用情報に基づいて、前記第２端末装置の使用者が前記整備業者データベースに登録されている整備業者であるか否かを判断し、前記第２端末装置の使用者が前記整備業者データベースに登録されている整備業者である場合、前記仲介業者によって売買が仲介される新たな中古車に関しており、前記新たな中古車の販売価格、走行距離及び各種装備の有無を含む車両情報を、前記第２端末装置から受信すると、前記車両情報と共に前記新たな中古車を前記車両データベースに登録し、前記ＷＷＷサーバ装置は、前記車両データベースに登録されている特定の中古車に関するコンテンツの取得要求を前記第３端末装置から受信すると、前記車両データベースを参照して、前記特定の中古車の販売価格、走行距離及び各種装備の有無を含んでおり、前記特定の中古車に関するコンテンツを作成して、前記第３端末装置に送信し、前記ＷＷＷサーバ装置は、前記第１端末装置から認証用情報を受信した場合、その認証用情報に基づいて、前記第１端末装置の使用者が前記売却希望者データベースに登録されている売却希望者であるか否かを判断し、前記第１端末装置の使用者が前記売却希望者データベースに登録されている売却希望者である場合、前記第１端末装置の使用者が所有している中古車について前記車両データベースに登録されている項目の一部である販売価格、走行距離及び各種装備の有無に関して変更事項を入力するための複数のフォームを有する車両情報変更ページの取得要求を、前記第１端末装置から受信すると、前記車両情報変更ページのＨＴＭＬファイルを前記第１端末装置に送信し、前記第１端末装置は、前記ＨＴＭＬファイルを受信すると、前記第１端末装置の表示部に前記車両情報変更ページを表示して、前記第１端末装置の操作部を用いて前記車両情報変更ページに入力された変更事項を前記ＷＷＷサーバ装置に送信し、前記ＷＷＷサーバ装置は、前記入力された変更事項を前記第１端末装置から受信すると、前記第１端末装置の使用者が所有している中古車について、前記入力された変更事項が新たに登録されるように、前記車両データベースを書き換えることを特徴とする。
【手続補正６】
【補正対象書類名】明細書
【補正対象項目名】００１１
【補正方法】変更
【補正の内容】
【００１１】
本発明の中古車売買仲介方法は、中古車の個人間売買をネットワークを利用して仲介する中古車売買仲介方法において、ＷＷＷサーバ装置が、前記ネットワークを介して前記ＷＷＷサーバ装置に通信可能に接続された第１端末装置から受信した認証用情報に基づいて、前記第１端末装置の使用者が整備業者データベースに登録されている整備業者であるか否かを判断するステップと、前記第１端末装置の使用者が前記整備業者データベースに登録されている整備業者である場合、前記ＷＷＷサーバ装置が、売買が仲介される中古車に関しており、その中古車の販売価格を含む車両情報を前記第１端末装置から受信して、前記車両情報と共にその中古車を車両データベースに登録するステップと、前記ＷＷＷサーバ装置が、前記ネットワークを介して前記ＷＷＷサーバ装置に通信可能に接続された第２端末装置から受信した認証用情報に基づいて、前記第２端末装置の使用者が売却希望者データベースに登録されている売却希望者であるか否かを判断するステップと、前記第２端末装置の使用者が前記売却希望者データベースに登録されている売却希望者である場合、前記ＷＷＷサーバ装置が、前記第２端末装置の使用者が所有している中古車の新たな販売価格を入力するためのフォームを有する車両情報変更ページの取得要求を前記第２端末装置から受信すると、前記車両情報変更ページのＨＴＭＬファイルを前記第２端末装置に送信するステップと、前記ＷＷＷサーバ装置が、前記第２端末装置の表示部に表示された前記車両情報変更ページに入力された新たな販売価格を、前記第２端末装置から受信すると、前記第２端末装置の使用者が所有している中古車の販売価格が前記入力された新たな販売価格になるように、前記車両データベースを書き換えるステップと、前記ＷＷＷサーバ装置が、前記車両データベースに登録されている特定の中古車に関するコンテンツの取得要求を、前記ネットワークを介して前記ＷＷＷサーバ装置に通信可能に接続された第３端末装置から受信すると、前記車両データベースを参照して、前記特定の中古車の販売価格を含む前記コンテンツを作成し、前記第３端末装置に送信するステップとを含むことを特徴とする。
【手続補正７】
【補正対象書類名】明細書
【補正対象項目名】００１２
【補正方法】変更
【補正の内容】
【００１２】
本発明の中古車売買仲介方法は、中古車の個人間売買をネットワークを利用して仲介する中古車売買仲介方法において、ＷＷＷサーバ装置が、前記ネットワークを介して前記ＷＷＷサーバ装置に通信可能に接続された第１端末装置から受信した認証用情報に基づいて、前記第１端末装置の使用者が整備業者データベースに登録されている整備業者であるか否かを判断するステップと、前記第１端末装置の使用者が前記整備業者データベースに登録されている整備業者である場合、前記ＷＷＷサーバ装置が、売買が仲介される中古車に関しており、その中古車の販売価格、走行距離及び各種装備の有無を含む車両情報を前記第１端末装置から受信して、前記車両情報と共にその中古車を車両データベースに登録するステップと、前記ＷＷＷサーバ装置が、前記ネットワークを介して前記ＷＷＷサーバ装置に通信可能に接続された第２端末装置から受信した認証用情報に基づいて、前記第２端末装置の使用者が売却希望者データベースに登録されている売却希望者であるか否かを判断するステップと、前記第２端末装置の使用者が前記売却希望者データベースに登録されている売却希望者である場合、前記ＷＷＷサーバ装置が、前記第２端末装置の使用者が所有している中古車について前記車両データベースに登録されている項目の一部である販売価格、走行距離及び各種装備の有無に関して変更事項を入力するための複数のフォームを有する車両情報変更ページの取得要求を、前記第２端末装置から受信すると、前記車両情報変更ページのＨＴＭＬファイルを前記第２端末装置に送信するステップと、前記ＷＷＷサーバ装置が、前記第２端末装置の表示部に表示された前記車両情報変更ページに入力された変更事項を、前記第２端末装置から受信すると、前記第２端末装置の使用者が所有している中古車について、前記入力された変更事項が新たに登録されるように前記車両データベースを書き換えるステップと、前記ＷＷＷサーバ装置が、前記車両データベースに登録されている特定の中古車に関するコンテンツの取得要求を、前記ネットワークを介して前記ＷＷＷサーバ装置に通信可能に接続された第３端末装置から受信すると、前記車両データベースを参照して、前記特定の中古車の販売価格、走行距離及び各種装備の有無を含む前記コンテンツを作成し、前記第３端末装置に送信するステップとを含むことを特徴とする。
【手続補正８】
【補正対象書類名】明細書
【補正対象項目名】００１３
【補正方法】変更
【補正の内容】
【００１３】
売却希望者が所有する売却希望の中古車について、装備や仕様等の追加又は削除、状態の(大幅な)変化が生じた場合に、または、購入の申込みの状況、若しくは装備の追加等に応じて中古車の販売価格を変更したい場合に、売却希望者は、端末装置を用いてサーバ装置に変更事項を送信する。そして、受信した変更事項に基づいてサーバ装置が車両データベースを書き換えることで、その後、変更事項が反映されたコンテンツが、売却希望者の中古車について作成及び公開される。このように、本発明によれば、売却希望者の求めに応じて、売却希望者の所有する中古車に関するコンテンツを容易に変更してネットワーク上にて公開することが可能となる。また、本発明では、中古車に関する情報の一部についてのみ変更が認められるので、製造メーカーや車名等の変更されることが(ほとんど)あり得ない基本事項について、売却希望者の求めに応じて車両データベースが書き換えられる事態は防止される。
【手続補正９】
【補正対象書類名】明細書
【補正対象項目名】００１４
【補正方法】変更
【補正の内容】
【００１４】
売買の成立を左右する最も重要な因子の１つは、中古車の販売価格である。故に、本発明では、車両データベースに格納される情報には、売買を仲介する中古車の販売価格が含まれており、商品に関する情報を示すコンテンツでは、商品に関する販売価格が示され、売却希望者による変更が認められている項目には、使用者が売却を希望する中古車の販売価格が含まれるのが好ましい。さらに、本発明では、中古車に関する情報を示すコンテンツにて、販売価格を用いて算出される金額が示されることが好ましい。これによって、中古車の販売価格に諸費用を加えた金額がコンテンツで示されると共に、コンテンツで示されるこのような金額が、販売価格の変更に応じて変更される。